【事件の表示】
　特願２０１４−１２８５６０「遊技機」拒絶査定不服審判事件〔平成２６年１１月２７日出願公開、特開２０１４−２２１３５５〕について、次のとおり審決する。
【結　論】
　本件審判の請求は、成り立たない。
【理　由】
第１　手続の経緯
　本願は、平成２２年１２月１４日に出願した特願２０１０−２７８２０８号の一部を平成２５年４月４日に新たな特許出願にした特願２０１３−７８３８８号の一部を平成２６年６月２３日に新たな特許出願にしたものであって、平成２７年７月３０日付けで手続補正がなされたが、平成２８年１月２６日付けで拒絶理由通知がされ、これに対し平成２８年４月１日付けで手続補正がなされたが、平成２８年８月１８日付け（発送日：８月３０日）で補正却下の決定とともに拒絶査定がなされ、これに対して、平成２８年１０月３１日付けで拒絶査定不服審判の請求がなされるとともに手続補正（以下、「本件補正」という。）がなされたものである。
第２　本件補正についての補正却下の決定
［補正却下の決定の結論］
　本件補正を却下する。
［理由］
１．本件補正の概要
　本件補正は特許請求の範囲の請求項１の記載についての補正であり、平成２７年７月３０日付けの手続補正と本件補正の特許請求の範囲の請求項１の記載はそれぞれ、以下のとおりである（下線部は、補正箇所を示す。）。
（補正前：平成２７年７月３０日付け手続補正）
「始動条件の成立により判定情報を取得する判定情報取得手段と、
　前記判定情報取得手段により取得された前記判定情報に基づいて特別図柄抽選を実行する抽選手段と、
　前記特別図柄抽選が実行されると、特別図柄を変動表示した後に停止表示することにより、前記特別図柄抽選の抽選結果を報知する図柄表示手段と、
　前記特別図柄が変動表示されてから停止表示されるまでの間に、表示手段において装飾図柄を変動させてから停止させた後に再変動させる擬似連変動を所定回数実行する擬似連変動演出制御手段と、
　遊技中に視認可能な位置に配置され、遊技者によって操作される操作手段と、
　前記操作手段を、遊技者による操作とは無関係に、前記特別図柄の変動表示中に実行される演出の一部として制御する演出制御手段とを備え、
　前記演出制御手段は、前記擬似連変動演出制御手段により前記擬似連変動が実行されることに伴って、前記操作手段の演出態様を変化させる、遊技機。」
（補正後：本件補正である平成２８年１０月３１日付け手続補正）
「始動条件の成立により判定情報を取得する判定情報取得手段と、
　前記判定情報取得手段により取得された前記判定情報に基づいて特別図柄抽選を実行する抽選手段と、
　前記特別図柄抽選が実行されると、特別図柄を変動表示した後に停止表示することにより、前記特別図柄抽選の抽選結果を報知する図柄表示手段と、
　前記特別図柄が変動表示されてから停止表示されるまでの間に、表示手段において装飾図柄を変動させてから、
チャンス図柄で
ると、前記装飾図柄を
　遊技中に視認可能な位置に配置され、遊技者によって操作される操作手段と、
　前記操作手段を、遊技者による操作とは無関係に、前記特別図柄の変動表示中に実行される演出の一部として制御する演出制御手段とを備え、
　前記演出制御手段は、前記擬似連変動演出制御手段により
複数回の前記擬似連変動が実行される場合において、前記装飾図柄が前記チャンス図柄で停止される毎に繰り返し、
特定の態様に
２．補正の適否
　本件補正により請求項１の記載は、擬似連変動について、「装飾図柄を変動させてから停止させた後に再変動させる」とあったものを、「装飾図柄を変動させてから、チャンス図柄で停止させると、前記装飾図柄を再変動させる」と限定し、演出制御手段について、「前記擬似連変動演出制御手段により前記擬似連変動が実行されることに伴って、前記操作手段の演出態様を変化させる」とあったものを、「前記擬似連変動演出制御手段により複数回の前記擬似連変動が実行される場合において、前記装飾図柄が前記チャンス図柄で停止される毎に繰り返し、前記操作手段の演出態様を特定の態様に変化させる」と限定している。
　そして、補正後の請求項１に記載された発明は、補正前の特許請求の範囲に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、明細書の［００６７］−［００８１］、図面の図４−図１６等の記載に基づいており、新規事項を追加するものではない。
３．独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。
（１）本件補正後の請求項１に係る発明
　補正後の請求項１に係る発明（以下、「本願補正発明」という。）は、上記１．の補正の概要において示した次に特定されるとおりのものである（Ａ〜Ｇについては、発明特定事項を分説するため当審で付与した。）。
「Ａ　始動条件の成立により判定情報を取得する判定情報取得手段と、
Ｂ　前記判定情報取得手段により取得された前記判定情報に基づいて特別図柄抽選を実行する抽選手段と、
Ｃ　前記特別図柄抽選が実行されると、特別図柄を変動表示した後に停止表示することにより、前記特別図柄抽選の抽選結果を報知する図柄表示手段と、
Ｄ　前記特別図柄が変動表示されてから停止表示されるまでの間に、表示手段において装飾図柄を変動させてから、チャンス図柄で停止させると、前記装飾図柄を再変動させる擬似連変動を所定回数実行する擬似連変動演出制御手段と、
Ｅ　遊技中に視認可能な位置に配置され、遊技者によって操作される操作手段と、
Ｆ　前記操作手段を、遊技者による操作とは無関係に、前記特別図柄の変動表示中に実行される演出の一部として制御する演出制御手段とを備え、
Ｇ　前記演出制御手段は、前記擬似連変動演出制御手段により複数回の前記擬似連変動が実行される場合において、前記装飾図柄が前記チャンス図柄で停止される毎に繰り返し、前記操作手段の演出態様を特定の態様に変化させる、遊技機。」
（２）刊行物に記載された事項
（２−１）刊行物
　原査定の拒絶の理由に引用された本願の出願日前に頒布された刊行物である特開２０１０―２５９６４３号公報（以下、「刊行物」という。）には、図面と共に次の事項が記載されている（下線は当審で付した。）。
（ア）「【００１９】図１乃至図８において、本実施形態に係る
パチンコ機１
皿ユニット３００とを備えた扉枠５
（イ）「【００６０】
＜皿ユニット＞
次に、主として図１４、図１８及び図１９を参照して皿ユニット３００の構成について説明する。
皿ユニット３００は、大きく分けて外観を構成するユニット枠３０１
【００６１】ユニット枠３０１には、貸球ユニット３２７が備えられている。この貸球ユニット３２７は、パチンコ機１に隣接して球貸し機が設けられている場合に、貸出指令を導出するスイッチや貸出残表示器等が設けられるものである。また、
ユニット枠３０１には、上面の前方中央に操作リングユニット３２９が備えられている。なお、操作リングユニット３２９は、ボタン機能３３０とリング機能３３１とを有して構成されるものであり、このボタン機能３３０及びリング機能３３１は、遊技盤４に設けられる液晶表示装置６４０等で行われる遊技内容に遊技者が参加する際に操作されるものである。
（ウ）「【０３１４】  また、
主制御基板２０９４には、第一始動口センサ２４１６（本発明の第一入賞状態検出手段に相当）によって第一始動口１４２０への入賞が検出されたとき、ランダムカウンタ（乱数発生手段）から、大当り判定用乱数を抽出する第一当り判定用乱数抽出手段２９１６ａと、大当り図柄用乱数を抽出する第一当り図柄用乱数抽出手段２９１７ａとが設けられている。また、判定用乱数及び大当り図柄用乱数を基に変動時間用乱数を抽出する第一変動時間用乱数抽出手段２９１８ａが設けられている。
第一当り判定用乱数抽出手段２９１６ａによって大当り判定用乱数が抽出されると、第一当り判定用テーブル２９１１ａを用いて大当りの当否を決定する第一当否決定手段２９３０ａ、及び第一当り図柄用乱数抽出手段２９１７ａによって大当り図柄用乱数が抽出されると、第一当り図柄用テーブル２９１２ａを用いて第一特別図柄表示器２３９０ａにおける停止図柄を決定する第一停止図柄決定手段２９３１ａが設けられている。さらに、第一変動時間用乱数抽出手段２９１８ａによって変動時間用乱数が抽出され、且つ第一当否決定手段２９３０ａによって大当りであることが決定されると、第一当り時変動時間設定用テーブル２９１３ａを用いて第一特別図柄の変動時間を決定し、一方、変動時間用乱数が抽出され、且つ第一当否決定手段２９３０ａによって外れであることが決定されると、第一外れ時変動時間設定用テーブル２９１４ａを用いて第一特別図柄の変動時間を決定する第一変動時間決定手段２９３２ａが設けられている。
（エ）「【０３１５】また、
主制御基板２０９４には、第一特別図柄表示器２３９０ａにおいて第一特別図柄の変動を開始するとともに、第一変動時間決定手段２９３２ａによって決定された変動時間の経過後、第一停止図柄決定手段２９３１ａによって決定された停止図柄で変動停止させる特別図柄変動制御手段２９３４
（オ）「【０３３２】 図１１４に示すように、
周辺基板２８１１には、主制御基板２０９４から送信された制御情報コマンドがコマンド受信手段２９５１によって受信されると、これを基に液晶表示装置６４０を制御するための各種機能が備えられている。
（カ）「【０３３７】一方、
第一装飾図柄の演出に関する機能的な構成として、第一装飾図柄変動制御手段２９７６ａが設けられている。第一装飾図柄変動制御手段２９７６ａは、コマンド受信手段２９５１によって受信された制御コマンドを基に、停止図柄を第一装飾図柄記憶手段（図示しない）から読み出し変動させるとともに、その制御コマンドに含まれる変動時間及び当否コマンド等（すなわち抽選結果）に基づいて装飾図柄を停止させるものである。
（キ）「【０３５５】
操作リングユニット３２９は、
押圧操作が可能なボタン機構３３０と、回転操作が可能なリング機構３３１と、
（ク）「【０３６５】また、ステッピングモータ３４４は、取付片部３６５の下面にビス止めされるものであり、取付片部３６５には、ステッピングモータ３４４を取り付けた状態でモータ軸３４４ａを上方へ挿通する挿通穴３６５ａが穿設されている。伝達ギア３４３は、取付片部３６５の上面側で挿通穴３６５ａを挿通したモータ軸３４４ａに取り付けられ、取付片部３６５の基部となる円筒基部３６２の壁面部分には、伝達ギア３４３とリングギア３４２とを歯合するための切欠部３６５ｂが穿設されている。そして、ステッピングモータ３４４は、伝達ギア３４３を介してリングギア３４２を回転させることにより、該リングギア３４２と一体的に設けられたリングキャップ３４１を回転駆動するようになっている。即ち、
リング機構３３１を構成するリングキャップ３４１は、ボタン機構３３０を構成するボタンキャップ３３４と同様に遊技者の操作が可能な操作手段の機能を有すると共に、ステッピングモータ３４４の駆動に基づいて回転する可動演出手段としての機能をも有した構成となっている。
（ケ）「【０４０７】次に、ボタン機構３３０及びリング機構３３１が可動演出手段として機能する三例を説明する。一例目としては、
始動口（第一始動口１４２０、第二始動口１４２１）への入賞に伴う大当り判定に基づいて、液晶表示装置６４０に変動表示される装飾図柄において、
左右の装飾図柄４０１，４０３が同一図柄で揃いリーチ態様が表示されると共に
、中装飾図柄４０２がノーマルリーチの変動態様で表示される。このとき、ボタン機構３３０及びリング機構３３１は、それぞれ停止状態にある。即ち、ボタン機構３３０のボタンキャップ３３４を光装飾するフルカラーＬＥＤ３５８及びリング機構３３１のリングキャップ３４１を光装飾するフルカラーＬＥＤ３５６は、それぞれ消灯状態にあり、また、リング機構３３１のリングキャップ３４１を回転駆動するステッピングモータ３４４は、駆動停止状態にある。
【０４０８】その後、図１３４（Ｂ）に示すように、
ハズレを決定する中装飾図柄４０２
が一旦停止表示される。また、この時点でも、ボタン機構３３０及びリング機構３３１は、それぞれ停止状態にある。
液晶表示装置６４０の表示はハズレ図柄を停止表示した状態で、ボタン機構３３０及びリング機構３３１が演出駆動される。具体的には、各フルカラーＬＥＤ３５８，３５６の点灯・点滅駆動によってボタン機構３３０のボタンキャップ３３４及びリング機構３３１のリングキャップ３４１が発光し、これと同時に、ステッピングモータ３４４の回転駆動によってリング機構３３１のリングキャップ３４１が回転する。その後は、このようなボタン機構３３０及びリング機構３３１の演出駆動が継続した状態で、液晶表示装置６４０の表示は、
左右の装飾図柄４０１，４０３が表示画面の左右上端側へそれぞれ移動して縮小表示されると共に中装飾図柄４０２の変動が再開されて、スーパーリーチ変動に発展する。
　上記（ア）〜（ケ）の記載事項から、以下の事項が導かれる。
（１−ａ）上記（ウ）【０３１４】には、主制御基板２０９４には、第一始動口センサ２４１６によって第一始動口１４２０への入賞が検出されたとき、大当り判定用乱数を抽出する第一当り判定用乱数抽出手段２９１６ａと、大当り図柄用乱数を抽出する第一当り図柄用乱数抽出手段２９１７ａと、判定用乱数及び大当り図柄用乱数を基に変動時間用乱数を抽出する第一変動時間用乱数抽出手段２９１８ａが設けられていることが記載されている。
　そうすると、刊行物には、第一始動口センサ２４１６によって第一始動口１４２０への入賞が検出されたとき大当り判定用乱数を抽出する第一当り判定用乱数抽出手段２９１６ａ、大当り図柄用乱数を抽出する第一当り図柄用乱数抽出手段２９１７ａ、及び、変動時間用乱数を抽出する第一変動時間用乱数抽出手段２９１８ａが記載されているといえる。
（１−ｂ）上記（ウ）【０３１４】には、主制御基板２０９４には、第一当り判定用乱数抽出手段２９１６ａによって大当り判定用乱数が抽出されると、第一当り判定用テーブル２９１１ａを用いて大当りの当否を決定する第一当否決定手段２９３０ａ、第一当り図柄用乱数抽出手段２９１７ａによって大当り図柄用乱数が抽出されると、第一当り図柄用テーブル２９１２ａを用いて第一特別図柄表示器２３９０ａにおける停止図柄を決定する第一停止図柄決定手段２９３１ａ、及び、第一変動時間用乱数抽出手段２９１８ａによって変動時間用乱数が抽出され、且つ第一当否決定手段２９３０ａによって大当りであることが決定されると、第一当り時変動時間設定用テーブル２９１３ａを用いて第一特別図柄の変動時間を決定し、一方、変動時間用乱数が抽出され、且つ第一当否決定手段２９３０ａによって外れであることが決定されると、第一外れ時変動時間設定用テーブル２９１４ａを用いて第一特別図柄の変動時間を決定する第一変動時間決定手段２９３２ａが設けられていることが記載されている。
　そうすると、刊行物には、第一当り判定用乱数抽出手段２９１６ａによって大当り判定用乱数が抽出されると、第一当り判定用テーブル２９１１ａを用いて大当りの当否を決定する第一当否決定手段２９３０ａ、及び、第一当り図柄用乱数抽出手段２９１７ａによって大当り図柄用乱数が抽出されると、第一当り図柄用テーブル２９１２ａを用いて第一特別図柄表示器２３９０ａにおける停止図柄を決定する第一停止図柄決定手段２９３１ａ、及び、第一変動時間用乱数抽出手段２９１８ａによって変動時間用乱数が抽出されると、第一当り時変動時間設定用テーブル２９１３ａまたは第一外れ時変動時間設定用テーブル２９１４ａを用いて第一特別図柄の変動時間を決定する第一変動時間決定手段２９３２ａが記載されているといえる。
（１−ｃ）上記（ウ）【０３１４】には、主制御基板２０９４には、大当りの当否を決定する第一当否決定手段２９３０ａ、第一特別図柄表示器２３９０ａにおける停止図柄を決定する第一停止図柄決定手段２９３１ａ、及び、第一特別図柄の変動時間を決定する第一変動時間決定手段２９３２ａが設けられていることが記載され、上記（エ）【０３１５】には、主制御基板２０９４には、第一特別図柄表示器２３９０ａにおいて第一特別図柄の変動を開始するとともに、第一変動時間決定手段２９３２ａによって決定された変動時間の経過後、第一停止図柄決定手段２９３１ａによって決定された停止図柄で変動停止させる特別図柄変動制御手段２９３４が設けられていることが記載されている。
　そうすると、刊行物には、大当りの当否、停止図柄及び変動時間が決定されると、第一特別図柄の変動を開始するとともに、決定された変動時間の経過後、決定された停止図柄で変動停止させる第一特別図柄表示器２３９０ａが記載されているといえる。
（１−ｄ）上記（オ）【０３３２】には、周辺基板２８１１には、主制御基板２０９４から送信された制御情報コマンドがコマンド受信手段２９５１によって受信されると、これを基に液晶表示装置６４０を制御するための各種機能が備えられていることが、上記（カ）【０３３７】には、第一装飾図柄の演出に関する機能的な構成として、第一装飾図柄変動制御手段２９７６ａが設けられ、第一装飾図柄変動制御手段２９７６ａは、コマンド受信手段２９５１によって受信された制御コマンドを基に、停止図柄を第一装飾図柄記憶手段から読み出し変動させるとともに、その制御コマンドに含まれる変動時間及び当否コマンド等（すなわち抽選結果）に基づいて装飾図柄を停止させることが、上記（ケ）【０４０７】、【０４０８】には、始動口（第一始動口１４２０、第二始動口１４２１）への入賞に伴う大当り判定に基づいて、液晶表示装置６４０に変動表示される装飾図柄において、左右の装飾図柄４０１，４０３が同一図柄で揃いリーチ態様が表示されると共に、中装飾図柄４０２がノーマルリーチの変動態様で表示され、ハズレを決定する中装飾図柄４０２が一旦停止表示され、その後、液晶表示装置６４０の表示は、左右の装飾図柄４０１，４０３が表示画面の左右上端側へそれぞれ移動して縮小表示されると共に中装飾図柄４０２の変動が再開されて、スーパーリーチ変動に発展することが、それぞれ、記載されている。
　そうすると、刊行物には、制御コマンドに含まれる変動時間に基づいて、液晶表示装置６４０に変動表示される装飾図柄において、中装飾図柄４０２が一旦ハズレ図柄が停止表示され、その後、ハズレを決定する中装飾図柄４０２の変動を再開する第一装飾図柄変動制御手段２９７６ａが記載されているといえる。
（１−ｅ）上記（ア）【００１９】には、パチンコ機１は、皿ユニット３００とを備えた扉枠５と、を備えて構成されていることが、上記（イ）【００６０】、【００６１】には、皿ユニットはユニット枠３０１を備え、ユニット枠３０１には、上面の前方中央に操作リングユニット３２９が備えられ、操作リングユニット３２９は、ボタン機能３３０とリング機能３３１とを有して構成され、このボタン機能３３０及びリング機能３３１は、遊技盤４に設けられる液晶表示装置６４０等で行われる遊技内容に遊技者が参加する際に操作されるものであることが、それぞれ、記載されている。
　そうすると、刊行物には、皿ユニット３００のユニット枠３０１の上面の前方中央に配置され、遊技内容に遊技者が参加する際に操作される操作リングユニット３２９が記載されているといえる。
（１−ｆ）上記（キ）【０３５５】には、操作リングユニット３２９は、押圧操作が可能なボタン機構３３０と、回転操作が可能なリング機構３３１と、を備えていることが、上記（ク）【０３６５】には、リング機構３３１を構成するリングキャップ３４１は、ボタン機構３３０を構成するボタンキャップ３３４と同様に遊技者の操作が可能な操作手段の機能を有すると共に、ステッピングモータ３４４の駆動に基づいて回転する可動演出手段としての機能をも有することが、上記（ケ）【０４０７】、【０４０８】には、液晶表示装置６４０に変動表示される装飾図柄において、ハズレ図柄を停止表示した状態で、ボタン機構及びリング機構３３１が演出駆動され、ボタン機構３３０及びリング機構３３１の演出駆動が継続した状態で、中装飾図柄４０２の変動が再開されることが、それぞれ、記載されている。
　そうすると、刊行物には、操作リングユニット３２９を、ステッピングモータ３４４の駆動に基づいて、液晶表示装置６４０の変動表示中に演出駆動するステッピングモータ３４４を備えることが記載されているといえる。
（１−ｇ）上記（ア）【００１９】には、パチンコ機１が、上記（ケ）【０４０７】、【０４０８】には、液晶表示装置６４０に変動表示される装飾図柄において、左右の装飾図柄４０１，４０３が同一図柄で揃いリーチ態様が表示されると共に中装飾図柄４０２がノーマルリーチの変動態様で表示され、ハズレを決定する中装飾図柄４０２が一旦停止表示されるとき、ボタン機構３３０及びリング機構３３１は、それぞれ停止状態にあり、その後、液晶表示装置６４０の表示はハズレ図柄を停止表示した状態で、ボタン機構３３０及びリング機構３３１が演出駆動され、具体的には、各フルカラーＬＥＤ３５８，３５６の点灯・点滅駆動によってボタン機構３３０のボタンキャップ３３４及びリング機構３３１のリングキャップ３４１が発光し、これと同時に、ステッピングモータ３４４の回転駆動によってリング機構３３１のリングキャップ３４１が回転し、ボタン機構３３０及びリング機構３３１の演出駆動が継続した状態で、液晶表示装置６４０の表示は、中装飾図柄４０２の変動が再開されることが、記載されている。
　そうすると、刊行物には、ステッピングモータ３４４は、中装飾図柄が一旦ハズレ図柄で停止され、その中装飾図柄の変動が再開される場合において、中装飾図柄がハズレ図柄で停止されると、ステッピングモータ３４４の回転駆動によってリング機構３３１のリングキャップ３４１が回転するパチンコ機１が記載されているといえる。
　以上、上記（ア）〜（ケ）の記載事項及び上記（１−ａ）〜（１−ｇ）の認定事項を総合すれば、刊行物１には、以下の発明（以下、「引用発明」という。）が記載されている（ａ〜ｇは発明の構成を分説するため当審で付与した。）。
「ａ　第一始動口センサ２４１６によって第一始動口１４２０への入賞が検出されたとき大当り判定用乱数を抽出する第一当り判定用乱数抽出手段２９１６ａ、大当り図柄用乱数を抽出する第一当り図柄用乱数抽出手段２９１７ａ、及び、変動時間用乱数を抽出する第一変動時間用乱数抽出手段２９１８ａと、
ｂ　第一当り判定用乱数抽出手段２９１６ａによって大当り判定用乱数が抽出されると、第一当り判定用テーブル２９１１ａを用いて大当りの当否を決定する第一当否決定手段２９３０ａ、及び、第一当り図柄用乱数抽出手段２９１７ａによって大当り図柄用乱数が抽出されると、第一当り図柄用テーブル２９１２ａを用いて第一特別図柄表示器２３９０ａにおける停止図柄を決定する第一停止図柄決定手段２９３１ａ、及び、第一変動時間用乱数抽出手段２９１８ａによって変動時間用乱数が抽出されると、第一当り時変動時間設定用テーブル２９１３ａまたは第一外れ時変動時間設定用テーブル２９１４ａを用いて第一特別図柄の変動時間を決定する第一変動時間決定手段２９３２ａと、
ｃ　大当りの当否、停止図柄及び変動時間が決定されると、第一特別図柄の変動を開始するとともに、決定された変動時間の経過後、決定された停止図柄で変動停止させる第一特別図柄表示器２３９０ａと、
ｄ　制御コマンドに含まれる変動時間に基づいて、液晶表示装置６４０に変動表示される装飾図柄において、中装飾図柄４０２が一旦ハズレ図柄が停止表示され、その後、ハズレを決定する中装飾図柄４０２の変動を再開する第一装飾図柄変動制御手段２９７６ａと、
ｅ　皿ユニット３００のユニット枠３０１の上面の前方中央に配置され、遊技内容に遊技者が参加する際に操作される操作リングユニット３２９と、
ｆ　操作リングユニット３２９を、ステッピングモータ３４４の駆動に基づいて、液晶表示装置６４０の変動表示中に演出駆動するステッピングモータ３４４とを備え、
ｇ　ステッピングモータ３４４は、中装飾図柄が一旦ハズレ図柄で停止され、その中装飾図柄の変動が再開される場合において、中装飾図柄がハズレ図柄で停止されると、ステッピングモータ３４４の回転駆動によってリング機構３３１のリングキャップ３４１が回転するパチンコ機１。」
（３）対比
　本願補正発明と引用発明とを対比する。なお、見出しは（ａ）−（ｇ）とし、本願補正発明、引用発明の分説に対応させている。
（ａ）引用発明の「第一始動口センサ２４１６によって第一始動口１４２０への入賞が検出され」ることは、本願補正発明の「始動条件の成立」に相当する。
　引用発明の「大当り判定用乱数」、「大当り図柄用乱数」及び「変動時間用乱数」は、本願補正発明の「判定情報」に相当する。
　したがって、引用発明のこれらの乱数を「抽出」することは、本願補正発明の判定情報を「取得」することに相当する。
　そして、引用発明の「第一当り判定用乱数抽出手段２９１６ａ」、「第一当り図柄用乱数抽出手段２９１７ａ」及び「第一変動時間用乱数抽出手段２９１８ａ」は、本願補正発明の「判定情報取得手段」に相当する。
　よって、引用発明の「第一始動口センサ２４１６によって第一始動口１４２０への入賞が検出されたとき大当り判定用乱数を抽出する第一当り判定用乱数抽出手段２９１６ａ、大当り図柄用乱数を抽出する第一当り図柄用乱数抽出手段２９１７ａ、及び、変動時間用乱数を抽出する第一変動時間用乱数抽出手段２９１８ａ」は、本願補正発明の「始動条件の成立により判定情報を取得する判定情報取得手段」に相当する。
（ｂ）上記（ａ）より、引用発明の「第一当り判定用乱数抽出手段２９１６ａ」、「第一当り図柄用乱数抽出手段２９１７ａ」及び「第一変動時間用乱数抽出手段２９１８ａ」は、本願補正発明の「判定情報取得手段」に、引用発明の「抽出」することは、本願補正発明の判定情報を「取得」することに、引用発明の「大当り判定用乱数」、「大当り図柄用乱数」及び「変動時間用乱数」は、本願補正発明の「判定情報」に、それぞれ、相当する。
　そして、引用発明の「第一当り判定用テーブル２９１１ａを用い」ること、「第一当り図柄用テーブル２９１２ａを用い」ること及び「第一当り時変動時間設定用テーブル２９１３ａまたは第一外れ時変動時間設定用テーブル２９１４ａを用い」ることは、本願補正発明の「基づ」くことに相当する。
　また、引用発明の「大当りの当否を決定する」こと、「第一特別図柄表示器２３９０ａにおける停止図柄を決定する」こと及び「第一特別図柄の変動時間を決定する」ことは、本願補正発明の「特別図柄抽選を実行する」ことに相当する。
　したがって、引用発明の「第一当否決定手段２９３０ａ」、「第一停止図柄決定手段２９３１ａ」及び「第一変動時間決定手段２９３２ａ」は、本願補正発明の「抽選手段」に相当する。
　よって、引用発明の「第一当り判定用乱数抽出手段２９１６ａによって大当り判定用乱数が抽出されると、第一当り判定用テーブル２９１１ａを用いて大当りの当否を決定する第一当否決定手段２９３０ａ、及び、第一当り図柄用乱数抽出手段２９１７ａによって大当り図柄用乱数が抽出されると、第一当り図柄用テーブル２９１２ａを用いて第一特別図柄表示器２３９０ａにおける停止図柄を決定する第一停止図柄決定手段２９３１ａ、及び、第一変動時間用乱数抽出手段２９１８ａによって変動時間用乱数が抽出されると、第一当り時変動時間設定用テーブル２９１３ａまたは第一外れ時変動時間設定用テーブル２９１４ａを用いて第一特別図柄の変動時間を決定する第一変動時間決定手段２９３２ａ」は、本願補正発明の「前記判定情報取得手段により取得された前記判定情報に基づいて特別図柄抽選を実行する抽選手段」に相当する。
（ｃ）上記（ｂ）より、引用発明の「大当りの当否、停止図柄及び変動時間が決定される」ことは、本願補正発明の「前記特別図柄抽選が実行される」ことに相当する。
　そして、引用発明の「第一特別図柄の変動を開始するとともに、決定された変動時間の経過後、・・・変動停止させる」ことは、本願補正発明の「特別図柄を変動表示した後に停止表示する」ことに相当する。
　また、上記（ｂ）を参照すると、引用発明の「決定された停止図柄」は、特別図柄抽選により決定されるものであるから、本願補正発明の「前記特別図柄抽選の抽選結果」に相当し、そうすると、引用発明の「決定された停止図柄で変動停止させる」ことは、本願補正発明の「前記特別図柄抽選の抽選結果を報知する」ことに相当する。
　したがって、引用発明の「第一特別図柄表示器２３９０ａ」は、本願補正発明の「図柄表示手段」に相当する。
　よって、引用発明の「大当りの当否、停止図柄及び変動時間が決定されると、第一特別図柄を変動の開始するとともに、決定された変動時間の経過後、決定された停止図柄で変動停止させる第一特別図柄表示器２３９０ａ」は、本願補正発明の「前記特別図柄抽選が実行されると、特別図柄を変動表示した後に停止表示することにより、前記特別図柄抽選の抽選結果を報知する図柄表示手段」に相当する。
（ｄ）上記（カ）【０３３７】「一方、第一装飾図柄の演出に関する機能的な構成として、第一装飾図柄変動制御手段２９７６ａが設けられている。第一装飾図柄変動制御手段２９７６ａは、コマンド受信手段２９５１によって受信された制御コマンドを基に、停止図柄を第一装飾図柄記憶手段（図示しない）から読み出し変動させるとともに、その制御コマンドに含まれる変動時間及び当否コマンド等（すなわち抽選結果）に基づいて装飾図柄を停止させるものである。」の記載からみて、引用発明の「制御コマンドに含まれる変動時間」は、抽選結果に基づくものであるから、本願補正発明の「前記特別図柄が変動表示されてから停止表示されるまでの間」に相当する。
　引用発明の「装飾図柄」は、本願補正発明の「装飾図柄」に相当するから、引用発明の「液表表示装置６４０」は、本願補正発明の「表示手段」に相当する。
　引用発明の「装飾図柄において、中装飾図柄４０２が一旦ハズレ図柄が停止表示され、その後、ハズレを決定する中装飾図柄４０２の変動を再開する」ことは、本願補正発明の構成Ｄと「装飾図柄を変動させてから、図柄で停止させると、停止させた少なくとも一部の図柄を再変動させる」点で共通する。
　また、引用発明は、再変動を一回実行するものであるから、本願補正発明の「所定回数実行する」ものに相当する。
　よって、引用発明の「制御コマンドに含まれる変動時間に基づいて、液晶表示装置６４０に変動表示される装飾図柄において、中装飾図柄４０２が一旦ハズレ図柄が停止表示され、その後、ハズレを決定する中装飾図柄４０２から大当りと決定する中装飾図柄４０２に切り替わる第一装飾図柄変動制御手段２９７６ａ」は、本願補正発明の構成Ｄと「前記特別図柄が変動表示されてから停止表示されるまでの間に、表示手段において装飾図柄を変動させてから、図柄で停止させると、停止させた少なくとも一部の図柄の再変動を所定回数実行する演出制御手段」の点で共通する。
（ｅ）引用発明の「皿ユニット３００のユニット枠３０１の上面の前方中央に配置される」ことは、本願補正発明の「遊戯中に視認可能な位置に配置される」ことに相当する。
　また、引用発明の「遊技内容に遊技者が参加する際に操作される操作リングユニット３２９」は、本願補正発明の「遊技者によって操作される操作手段」に相当する。
　よって、引用発明の「皿ユニット３００のユニット枠３０１の上面の前方中央に配置され、遊技内容に遊技者が参加する際に操作される操作リングユニット３２９」は、本願補正発明の「遊技中に視認可能な位置に配置され、遊技者によって操作される操作手段」に相当する。
（ｆ）上記（ｅ）より、引用発明の「操作リングユニット３２９」は、本願補正発明の「操作手段」に相当する。
　また、引用発明の「ステッピングモータ３４４の駆動に基づ」くことは、本願補正発明の「遊技者による操作とは無関係」に相当する。
　そして、引用発明の「液晶表示装置６４０の変動表示中」は、上記（ｄ）においても検討した通り、制御コマンドに含まれる変動時間によるものであるから、特別図柄の変動表示中に相当するものである。
　したがって、引用発明の「液晶表示装置６４０の変動表示中に演出駆動する」ことは、本願補正発明の「前記特別図柄の変動表示中に実行される演出の一部として制御する」ことに相当し、引用発明の「ステッピングモータ３４４」は、本願補正発明の「演出制御手段」に相当する。
　よって、引用発明の「操作リングユニット３２９を、ステッピングモータ３４４の駆動に基づいて、液晶表示装置６４０の変動表示中に演出駆動するステッピングモータ３４４」は、本願補正発明の「前記操作手段を、遊技者による操作とは無関係に、前記特別図柄の変動表示中に実行される演出の一部として制御する演出制御手段」に相当する。
（ｇ）上記（ｆ）より、引用発明の「ステッピングモータ３４４」は、本願補正発明の「演出制御手段」に相当する。
　また、引用発明の「リング機構３３１のリングキャップ３４１」は、操作リングユニット３２９を構成する部材であることから、上記（ｅ）より、本願補正発明の「操作手段」に相当する。
　そして、引用発明の「中装飾図柄が一旦ハズレ図柄で停止され、その中装飾図柄の変動が再開される場合において、中装飾図柄がハズレ図柄で停止される」ことは、本願補正発明と、図柄の一旦停止状態を含む演出が実行される場合において、装飾図柄が図柄で停止される点で共通する。
　また、引用発明の、ステッピングモータ３４４は、「ステッピングモータ３４４の回転駆動によってリング機構３３１のリングキャップ３４１が回転する」ことは、本願補正発明の、演出制御手段は、「操作手段の演出態様を特定の態様に変化させる」ことに相当する。
　引用発明の「パチンコ機１」は、本願補正発明の「遊技機」に相当する。
　よって、引用発明の「ステッピングモータ３４４は、装飾図柄が一旦ハズレ図柄で停止され、その後大当り図柄が表示される場合において、装飾図柄がハズレ図柄で停止されると、ステッピングモータ３４４の回転駆動によってリング機構３３１のリングキャップ３４１が回転するパチンコ機１」は、本願補正発明の構成Ｇと、「前記演出制御手段は、図柄の一旦停止状態を含む演出が実行される場合において、前記装飾図柄が前記図柄で停止されると、前記操作手段の演出態様を特定の態様に変化させる、遊技機」の点で共通する。
　上記（ａ）−（ｇ）により、本願補正発明と引用発明とは、
［一致点］
Ａ　始動条件の成立により判定情報を取得する判定情報取得手段と、
Ｂ　前記判定情報取得手段により取得された前記判定情報に基づいて特別図柄抽選を実行する抽選手段と、
Ｃ　前記特別図柄抽選が実行されると、特別図柄を変動表示した後に停止表示することにより、前記特別図柄抽選の抽選結果を報知する図柄表示手段と、
Ｄ’　前記特別図柄が変動表示されてから停止表示されるまでの間に、表示手段において装飾図柄を変動させてから、図柄で停止させると、停止させた少なくとも一部の図柄の再変動を所定回数実行する演出制御手段と、
Ｅ　遊技中に視認可能な位置に配置され、遊技者によって操作される操作手段と、
Ｆ　前記操作手段を、遊技者による操作とは無関係に、前記特別図柄の変動表示中に実行される演出の一部として制御する演出制御手段とを備え、
Ｇ’　前記演出制御手段は、図柄の一旦停止状態を含む演出が実行される場合において、前記装飾図柄が前記図柄で停止されると、前記操作手段の演出態様を特定の態様に変化させる、遊技機。 　
　である点で一致し、構成Ｄ、Ｇに関して、以下の点で相違する。
［相違点１］
　本願補正発明では、特別図柄が変動表示されてから停止表示されるまでの間に、表示手段において装飾図柄を変動させてから、チャンス図柄で停止させると、装飾図柄を再変動させる擬似連変動を実行するのに対し、引用発明では、このような特定はされていない点。
［相違点２］
　本願補正発明では、演出制御手段は、擬似連変動演出制御手段により、複数回の擬似連変動が実行される場合において、装飾図柄がチャンス図柄で停止される毎に繰り返し、操作手段の演出態様を特定の態様に変化させるのに対し、引用発明では、このような特定はされていない点。
（４）判断
　上記相違点について検討する。
ア　相違点１について
　遊技機の技術分野において、特別図柄が変動表示されてから停止表示されるまでの間に、図柄の一旦停止状態を含む演出を行う際に、装飾図柄を再変動させる擬似連変動を実行すること、及び、その際、停止図柄をチャンス図柄とすることは、いずれも、本願出願前に周知技術である（必要であれば、特開２０１０−２５３０７９号公報（【０１１３】、【０１１４】等）、特開２０１０−１３６９５２号公報（【０１２０】−【０１２５】等）等を参照されたい。以下、「周知技術１」という。）。
　そして、擬似連変動における停止図柄をどのような図柄にするかは、当業者が適宜選択し得る事項である。
　したがって、引用発明における、中装飾図柄が一旦停止表示され、その後、変動を再開する変動表示中の演出に代えて、上記周知技術１のチャンス図柄で一旦停止させる擬似連変動を適用して、上記相違点１に係る本願補正発明の構成とすることは、当業者が容易になし得たことである。
イ　相違点２について
　引用発明における、中装飾図柄が一旦停止表示され、その後、変動を再開する変動表示中の演出に代えて、周知技術１のチャンス図柄で一旦停止させる擬似連変動を適用することが、当業者が容易になし得たことであることは、上記アにおいて検討したとおりである。
　そして、遊技機の技術分野において、複数回の擬似連変動が実行される場合において、装飾図柄が停止される毎に繰り返し、特定の態様の演出をすることは、本願出願前に周知技術である（必要であれば、特開２０１０−２５３０７９号公報の「チャンス目」の変動停止に同期して「ドゴーン」の効果音を出力すること（【０１１４】、図８等）、特開２００８−１９４０６９号公報の図柄を仮停止させる度に、「ガイーン」の音声を出力させること（【０４６７】、【０４６９】、図１０９等）等を参照されたい。以下、「周知技術２」という。）。
　ここで、引用発明は、図柄が停止されると、操作手段の演出態様を特定の態様に変化させるものである。
　したがって、引用発明において上記周知技術２に倣って、擬似連変動が複数回実行される変動表示において、装飾図柄がチャンス図柄で停止される毎に繰り返し、操作手段の演出態様を特定の態様に変化させて、上記相違点２に係る本願補正発明の構成とすることは、当業者が適宜になし得たことである。
ウ　本願補正発明の奏する作用効果について
　そして、本願補正発明の作用効果は、引用発明及び周知技術１、２からみて、当業者の予測し得ない格別なものではない。
エ　審判請求人の主張について
　審判請求書において、請求人は、「本願発明では、繰り返される複数回のボタン演出の演出態様を同じ特定態様とすることにより、実行されている演出が擬似連演出（つまり、同じことが繰り返される演出）であるということを、ボタン演出を通じて、より印象付けることができ、擬似連変動をより興趣性の高い演出として実現できるという効果を奏します。」と主張している。
　この主張について検討すると、上記イで検討したとおり、擬似連変動を複数回実行することにより、繰り返し、操作手段の演出態様を特定の態様に変化させることは周知技術であるから、実行されている演出が擬似連演出であるということを、より印象付けることができ、その結果、擬似連変動をより興趣性の高い演出として実現できるという効果は、引用発明及び周知技術１、２から予測出来る範囲のものであり格別なものとはいえない。
　よって、請求人の主張は採用できない。
オ　まとめ
　したがって、本願補正発明は引用発明及び周知技術１、２に基づいて、当業者が容易に発明できたものであり、特許法第２９条第２項の規定に基づいて特許出願の際独立して特許を受けることができない。
４．むすび
　よって、本件補正は、特許法第１７条の２第６項において準用する同法第１２６条第７項の規定に違反するので、同法第１５９条第１項において読み替えて準用する同法第５３条第１項の規定により却下すべきものである。
第３　本願発明
　本願補正発明は、上記第２のとおり却下されたので、本願の請求項１に係る発明（以下、「本願発明」という。）は、平成２７年７月３０日付けの手続補正書により補正された、上記第２の１．で補正前として記載されたとおりのものである。
１．刊行物
（１−１）刊行物
　原査定の拒絶の理由に引用された刊行物の記載事項、引用発明は、上記第２の３．（２）（２−１）に記載したとおりである。
２．対比・判断
　本願発明は、本願補正発明の発明特定事項から、上記第２の１．の下線部の、擬似連変動について、「装飾図柄を変動させてから停止させた後に再変動させる」とあったものを、「装飾図柄を変動させてから、チャンス図柄で停止させると、前記装飾図柄を再変動させる」とする限定、演出制御手段について、「前記擬似連変動演出制御手段により前記擬似連変動が実行されることに伴って、前記操作手段の演出態様を変化させる」とあったものを、「前記擬似連変動演出制御手段により複数回の前記擬似連変動が実行される場合において、前記装飾図柄が前記チャンス図柄で停止される毎に繰り返し、前記操作手段の演出態様を特定の態様に変化させる」とする限定を付加した部分を削除したものである。
　そうすると、本願発明と引用発明とは、相違点１のみで相違し、それについては、上記第２の３．（４）アと同様の理由により、引用発明と周知技術１に基づいて当業者が容易になし得たものである。
３．むすび
　以上のとおりであるから、本願発明は、引用発明と周知技術１に基づいて当業者が容易に発明できたものであり、特許法第２９条第２項の規定により特許を受けることができない。
　よって、結論のとおり審決する。